(57)【特許請求の範囲】
【請求項１】
開口部が形成される筐体と、
前記筐体に収容される複数の感光体と、
前記筐体に引き出し可能に装着され、前記筐体に装着された状態において、前記複数の感光体と接触する無端ベルト、前記無端ベルトを支持するフレーム、および、前記フレームに設けられる把持部を備えるベルトユニットと、
前記筐体に設けられ、前記開口部を開放する開放位置と、前記開口部を閉鎖する閉鎖位置とに移動可能な開閉部材と、を備え、
前記把持部は、
前記開閉部材が前記閉鎖位置に位置する状態において、前記開閉部材に被覆され、前記筐体内に収容されるとともに、前記開閉部材の下方かつ前記ベルトユニットの上方に配置される収容位置と、
前記開閉部材が前記開放位置に位置する状態において、前記把持部の少なくとも一部が、前記収容位置にあるときよりも上方に配置される把持位置と、
前記開閉部材が前記開放位置に位置する状態において、前記ベルトユニットの前記筐体からの引き出しを許容する引出許容位置とに移動可能であり、
前記開閉部材の前記閉鎖位置から前記開放位置への移動に伴なって、前記把持部が前記収容位置から前記把持位置に移動することを特徴とする、画像形成装置。
【請求項２】
前記把持部は、一端部を支点として、前記フレームに回動可能に設けられており、
前記収容位置における前記把持部の他端部が、前記把持位置における前記把持部の他端部よりも、前記ベルトユニットの引出方向上流側に位置し、前記把持位置における前記把持部の他端部が、前記引出許容位置における前記把持部の他端部よりも、前記引出方向上流側に位置していることを特徴とする、請求項１に記載の画像形成装置。
【請求項３】
前記ベルトユニットは、
前記筐体内において、前記筐体に位置決めされている位置決め位置と、
前記筐体内において、前記無端ベルトが前記複数の感光体から離間する離間位置と、
前記筐体から引き出される引出位置とに移動可能であり、
前記把持部が前記収容位置および前記把持位置のそれぞれにあるときに、前記ベルトユニットは前記位置決め位置に位置され、
前記把持部の前記把持位置から前記引出許容位置への移動に連動して、前記ベルトユニットが前記位置決め位置から前記離間位置に移動することを特徴とする、請求項１または２に記載の画像形成装置。
【請求項４】
前記ベルトユニットは、前記筐体に装着された状態において、前記ベルトユニットの引出方向上流端部を支点として、前記位置決め位置と前記離間位置との間を回動可能であることを特徴とする、請求項３に記載の画像形成装置。
【請求項５】
前記ベルトユニットは、
前記把持部が固定され、前記フレームの前記引出方向の下流部分に回動可能に設けられる回動軸と、
前記回動軸に固定されるカムと、
前記把持部が前記収容位置から前記把持位置に向かうように、前記カムを付勢する付勢部材とを備え、
前記筐体は、前記ベルトユニットが前記位置決め位置または前記離間位置にあるときに、前記カムに対して下方に配置される規制部を備え、
前記カムは、
前記把持部が前記収容位置または前記把持位置に位置する状態において、前記規制部に対して間隔を空けて配置され、
前記把持部が前記把持位置から前記引出許容位置へ移動するときに、前記規制部と接触して前記ベルトユニットを前記位置決め位置から前記離間位置へ回動させることを特徴とする、請求項４に記載の画像形成装置。
【請求項６】
前記ベルトユニットは、前記筐体に装着された状態において、前記位置決め位置と前記離間位置との間を、前記ベルトユニットの引出方向に対して、垂直に移動可能であることを特徴とする、請求項３に記載の画像形成装置。
【請求項７】
前記ベルトユニットは、
前記把持部が固定され、前記フレームに回動可能に設けられる回動軸と、
前記回動軸に固定されるカムと、
前記把持部が前記収容位置から前記把持位置に向かうように、前記カムを付勢する付勢部材と、
前記フレームに設けられ、前記引出方向において前記カムと接触する直動カムと、
前記直動カムに対して下方に配置される離間部材とを備え、
前記筐体は、前記ベルトユニットが装着された状態において、前記離間部材の下側面と接触する離間面を備え、
前記直動カムは、前記直動カムの下端縁から上方に向かって窪む切欠部を有し、
前記離間部材は、上方に向かって突出する嵌合部を有し、
前記嵌合部は、
前記把持部が前記収容位置または前記把持位置に位置する状態において、前記切欠部に嵌合し、
前記把持部が前記把持位置から前記引出許容位置へ移動するときに、前記直動カムが前記カムにより前記引出方向に押圧されることにより、前記切欠部から離脱して前記直動カムの下端縁と接触し、
前記ベルトユニットは、
前記嵌合部が前記切欠部に嵌合している状態において、前記位置決め位置に位置し、
前記嵌合部が前記切欠部から離脱している状態において、前記離間位置に位置することを特徴とする、請求項６に記載の画像形成装置。
【請求項８】
前記ベルトユニットは、前記把持部を前記収容位置から前記把持位置に向かって付勢する付勢部材を備え、
前記開閉部材は、前記閉鎖位置において、前記付勢部材の付勢力に抗して、前記把持部を前記収容位置に保持していることを特徴とする、請求項１〜７のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、装置本体と、装置本体内に設けられる複数の感光体ドラムと、各感光体ドラムと対向配置される転写ベルトユニットとを備える中間転写型画像形成装置が知られている。転写ベルトユニットは、前後方向に間隔を隔てて並列配置される駆動ローラおよび従動ローラと、駆動ローラおよび従動ローラに張架される中間転写ベルトとを備えている。
【０００３】
このような中間転写型画像形成装置としては、例えば、転写ベルトユニットが、駆動ローラの左右両端部に設けられ、左右方向に突出する駆動ローラ軸受と、各駆動ローラ軸受の奥側に設けられる把持部とを備え、装置本体に着脱自在に装着される画像形成装置が提案されている（例えば、特許文献１参照）。
【０００４】
そして、そのような画像形成装置において、転写ベルトユニットのメンテナンス（例えば、交換）のために、転写ベルトユニットを装置本体から離脱させる場合、ユーザは、まず、各駆動ローラ軸受を把持して、各把持部が露出するまで転写ベルトユニットを手前側に引き出した後、各駆動ローラ軸受から各把持部に持ち替えて、転写ベルトユニットを装置本体から離脱させる。
【先行技術文献】
【特許文献】
【０００５】
【特許文献１】特開２０１０−２０４２５０号公報
【発明の概要】
【発明が解決しようとする課題】
【０００６】
しかるに、特許文献１に記載の画像形成装置において、ユーザが転写ベルトユニットを装置本体から離脱させるには、上記したように、まず、各駆動ローラ軸受が把持される。
【０００７】
しかし、各駆動ローラ軸受は、本来、駆動ローラの左右両端部を支持するものであって、ユーザに把持させることを目的に設けられたものではない。そのため、ユーザが転写ベルトユニットを装置本体から引き出すときに、転写ベルトユニットのいずれの部分を操作（把持）すればよいのかが不明確となる場合がある。
【０００８】
また、ユーザが、転写ベルトユニットを装置本体から離脱させるには、転写ベルトユニットの引き出し作業中に、把持する部分を各駆動ローラ軸受から各把持部に持ち替える必要がある。そのため、転写ベルトユニットの装置本体に対する離脱作業（引き出し作業）が煩雑となる。
【０００９】
その結果、このような画像形成装置では、ベルトユニットのメンテナンス性が低下するという不具合がある。
【００１０】
そこで、本発明の目的は、ベルトユニットの筺体に対する引き出し作業の円滑化を図ることができ、ベルトユニットのメンテナンス性の向上を図ることができる画像形成装置を提供することにある。
【課題を解決するための手段】
【００１１】
（１）上記した目的を達成するために、本発明は、開口部が形成される筐体と、前記筐体に収容される複数の感光体と、前記筐体に引き出し可能に装着され、前記筐体に装着された状態において、前記複数の感光体と接触する無端ベルト、前記無端ベルトを支持するフレーム、および、前記フレームに設けられる把持部を備えるベルトユニットと、前記筐体に設けられ、前記開口部を開放する開放位置と、前記開口部を閉鎖する閉鎖位置とに移動可能な開閉部材と、を備えている。
【００１２】
前記把持部は、前記開閉部材が前記閉鎖位置に位置する状態において、前記開閉部材に被覆され、前記筐体内に収容される収容位置と、前記開閉部材が前記開放位置に位置する状態において、前記開閉部材から露出され、把持が可能な把持位置と、前記開閉部材が前記開放位置に位置する状態において、前記ベルトユニットの前記筐体からの引き出しを許容する引出許容位置とに移動可能であり、前記開閉部材の前記閉鎖位置から前記開放位置への移動に伴なって、前記把持部が前記収容位置から前記把持位置に移動する。
【００１３】
このような構成によれば、把持部が、開閉部材の閉鎖位置から開放位置への移動に伴なって、収容位置から把持位置に移動するので、ベルトユニットを筐体から引き出すときに、把持部を把持すればよいことが明確となる。
【００１４】
そして、ユーザが、把持部を把持して把持位置から引出許容位置に移動させると、ベルトユニットの筐体からの引き出しが許容され、ベルトユニットの筐体からの離脱が可能となる。
【００１５】
つまり、ユーザは、筐体からのベルトユニットの離脱作業（引き出し作業）において、その離脱作業当初から作業完了時まで、把持部を把持していればよく、把持部から他の部分に持ち替える必要がない。
【００１６】
そのため、ベルトユニットの筺体に対する引き出し作業の円滑化を図ることができ、ベルトユニットのメンテナンス性の向上を図ることができる。
（２）また、前記把持部は、一端部を支点として、前記フレームに回動可能に設けられていてもよい。この場合、前記収容位置における前記把持部の他端部が、前記把持位置における前記把持部の他端部よりも、前記ベルトユニットの引出方向上流側に位置し、前記把持位置における前記把持部の他端部が、前記引出許容位置における前記把持部の他端部よりも、前記引出方向上流側に位置している。
【００１７】
このような構成によれば、収容位置における把持部は、開閉部材に被覆され、筐体内に収容され、また、その他端部が、把持位置および引出許容位置における把持部の他端部よりも、ベルトユニットの引出方向上流側に位置する。そのため、ベルトユニットに把持部を設けることができながら、画像形成装置の小型化を図ることができる。
【００１８】
また、把持位置における把持部の他端部は、収容位置における把持部の他端部よりも、ベルトユニットの引出方向下流側に位置する。そのため、ユーザは、引出方向下流側から把持位置における把持部を容易に把持できる。
【００１９】
また、引出許容位置における把持部の他端部は、把持位置における把持部の他端部よりも、ベルトユニットの引出方向下流側に位置する。そのため、ユーザは、引出許容位置における把持部を、引出方向下流側に向けて引き出しやすい。その結果、ベルトユニットを筐体から円滑に引き出すことができる。
【００２０】
つまり、把持部に対する引出方向下流側からのアクセスが容易となる。
【００２１】
従って、画像形成装置の小型化を図ることができながら、把持部に対する引出方向下流側からのアクセスの容易化を図ることができる。
（３）また、前記ベルトユニットは、前記筐体内において、前記筐体に位置決めされている位置決め位置と、前記筐体内において、前記無端ベルトが前記複数の感光体から離間する離間位置と、前記筐体から引き出される引出位置とに移動可能であってもよい。この場合、前記把持部の前記把持位置から前記引出許容位置への移動に連動して、前記ベルトユニットが前記位置決め位置から前記離間位置に移動する。
【００２２】
このような構成によれば、把持部の把持位置から引出許容位置への移動に連動して、ベルトユニットが位置決め位置から離間位置に移動するので、ベルトユニットが筐体から引き出されるときには、無端ベルトと複数の感光体とが離間している。そのため、ベルトユニットを筐体から引き出すときに、複数の感光体が無端ベルトと摺擦することを防止でき、複数の感光体が損傷することを防止できる。
（４）また、前記ベルトユニットは、前記筐体に装着された状態において、前記ベルトユニットの引出方向上流端部を支点として、前記位置決め位置と前記離間位置との間を回動可能であってもよい。
【００２３】
このような構成によれば、簡易な構成でありながら、ベルトユニットを位置決め位置と離間位置との間を移動可能に構成することができる。
（５）また、前記ベルトユニットは、前記筐体に装着された状態において、前記位置決め位置と前記離間位置との間を、前記ベルトユニットの引出方向に対して、垂直に移動可能であってもよい。
【００２４】
このような構成によれば、ベルトユニットが離間位置にある状態において、無端ベルトと複数の感光体とを確実に離間できる。
（６）また、前記ベルトユニットは、前記把持部を前記収容位置から前記把持位置に向かって付勢する付勢部材を備えていてもよい。この場合、前記開閉部材は、前記閉鎖位置において、前記付勢部材の付勢力に抗して、前記把持部を前記収容位置に保持している。
【００２５】
このような構成によれば、開閉部材を閉鎖位置から開放位置へ移動させると、付勢部材の付勢力により、把持部が収容位置から把持位置に移動する。
【００２６】
そのため、ユーザは、把持位置における把持部を容易に把持することができ、ベルトユニットの筺体に対する引き出し作業のさらなる円滑化を図ることができる。
【発明の効果】
【００２７】
本発明の画像形成装置では、ベルトユニットの筺体に対する引き出し作業の円滑化を図ることができ、ベルトユニットのメンテナンス性の向上を図ることができる。
【図面の簡単な説明】
【００２８】
【図１】本発明の画像形成装置の第１実施形態としてのカラープリンタを示す側断面図である。
【図２】（ａ）は、図１に示すベルトユニットを右上側から見た斜視図、（ｂ）は、（ａ）に示すベルトユニット（被覆部材を取り外した状態）を右上側から見た斜視図である。
【図３】（ａ）は、図１に示すベルトユニットを左下側から見た斜視図、（ｂ）は、（ａ）に示すベルトユニット（被覆部材を取り外した状態）を左下側から見た斜視図である。
【図４】図１に示すベルトユニットの把持部と連動ユニットとの連動動作を説明するための説明図であって、（ａ）は、把持部が収容位置にある状態、（ｂ）は、把持部が把持位置にある状態、（ｃ）は、把持部が引出許容位置にある状態を示す。
【図５】（ａ）は、本発明のカラープリンタの第２実施形態における、ベルトユニットを右上側から見た斜視図、（ｂ）は、（ａ）に示すベルトユニット（被覆部材を取り外した状態）を右上側から見た斜視図である。
【図６】図５に示すベルトユニットの把持部の移動動作を説明するための説明図であって、（ａ）は、把持部が収容位置にある状態、（ｂ）は、把持部が把持位置にある状態、（ｃ）は、把持部が引出許容位置にある状態を示す。
【発明を実施するための形態】
【００２９】
１．カラープリンタの全体構成
図１に示すように、画像形成装置の一例としてのカラープリンタ１は、横置きタイプの中間転写型カラープリンタである。
【００３０】
また、カラープリンタ１は、筐体の一例としての本体ケーシング２と、その本体ケーシング２内に収容される用紙Ｐを給紙するための給紙部３、および、給紙された用紙Ｐに画像を形成するための画像形成部４とを備えている。
（１）本体ケーシング
本体ケーシング２は、側面視略矩形状のボックス形状に形成されており、その一方側壁には、開口部７が形成されている。また、本体ケーシング２の一方側壁には、開閉部材の一例としてのフロントカバー５が設けられている。
【００３１】
フロントカバー５は、側面視略Ｌ字状に形成され、その下端部に設けられたヒンジ部８を支点として、開口部７を開放する開放位置（図１点線参照）と、開口部７を閉鎖する閉鎖位置とに揺動（移動）可能に設けられている。
【００３２】
なお、以下の説明において、フロントカバー５が設けられる側（図１における紙面左側）を前側とし、その反対側（図１における紙面右側）を後側とする。また、カラープリンタ１を前側から見たときを左右の基準とする。すなわち、図１の紙面手前側が右側であり、紙面奥側が左側である。
（２）給紙部
給紙部３は、本体ケーシング２内の底部に着脱自在に装着され、用紙Ｐを積層状に収容する給紙トレイ６を備えている。
【００３３】
給紙トレイ６内の用紙Ｐは、ピックアップローラ１０の回転により、給紙ローラ１１と給紙パッド１２との間に送られ、給紙ローラ１１の回転により１枚ずつ捌かれる。その後、捌かれた用紙Ｐは、給紙ローラ１１の回転により、給紙ローラ１１と各ピンチローラ１３との間を順次通過するように、上側の両レジストローラ１４間に向けて給紙され、レジストローラ１４の回転により、所定のタイミングで、画像形成部４（中間転写ベルト４３（後述）と二次転写ローラ３７（後述）との間）に供給される。
（３）画像形成部
画像形成部４は、給紙部３の上側に配置されており、プロセスユニット１５、転写ユニット１７および定着ユニット１８を備えている。
（３−１）プロセスユニット
プロセスユニット１５は、給紙トレイ６の上側において、本体ケーシング２内に装着されるプロセス装着位置と、本体ケーシング２から引き出されるプロセス引出位置とに、前後方向に沿って移動可能に設けられている。
【００３４】
プロセスユニット１５は、プロセスフレーム２０と、プロセスフレーム２０に着脱可能に保持されるプロセスカートリッジ１９と、プロセスフレーム２０に支持されるＬＥＤユニット２１とを備えている。
【００３５】
プロセスフレーム２０は、前後方向に長手の有底略矩形枠形状に形成されている。
【００３６】
プロセスカートリッジ１９は、各色に対応して４つ設けられ、プロセスフレーム２０に保持された状態において、前後方向に互いに間隔を隔てて並列配置されている。
【００３７】
また、各プロセスカートリッジ１９は、感光体の一例としての感光ドラム２２、スコロトロン型帯電器２３および現像ユニット２４を備えている。
【００３８】
感光ドラム２２は、左右方向に長手の円筒形状に形成されており、左右方向に沿って設けられている。
【００３９】
スコロトロン型帯電器２３は、対応する感光ドラム２２の後下側に、感光ドラム２２と間隔を隔てて対向配置され、対応する感光ドラム２２の表面を帯電している。
【００４０】
各現像ユニット２４は、対応する感光ドラム２２の前下側において、前後方向に互いに間隔を隔てて並列配置されており、現像ローラ２５を備えている。
【００４１】
現像ローラ２５は、現像ユニット２４の上端において、上側（後上側）から露出されるように回転可能に支持されており、感光ドラム２２に対して下側から接触されている。
【００４２】
なお、現像ユニット２４は、現像ローラ２５にトナーを供給する供給ローラ２６、現像ローラ２５に供給されたトナーの厚みを規制する層厚規制ブレード２７を備えている。また、各現像ユニット２４は、供給ローラ２６の下側において、各色に対応するトナーを収容するトナー収容部３９を備えている。
【００４３】
ＬＥＤユニット２１は、対応する現像ユニット２４の後側において、対応する感光ドラム２２に下方から対向するように設けられている。ＬＥＤユニット２１は、所定の画像データに基づいて、対応する感光ドラム２２の表面を露光する。
（３−３）転写ユニット
転写ユニット１７は、ベルトユニット４０と二次転写ローラ３７とを備えている。
【００４４】
ベルトユニット４０は、プロセスユニット１５の上側において、本体ケーシング２に引き出し可能に装着され、本体ケーシング２に装着された状態において、各感光ドラム２２に上側から対向するように、前後方向に沿って配置されている。
【００４５】
ベルトユニット４０は、駆動ローラ４１、従動ローラ４２、無端ベルトの一例としての中間転写ベルト４３、および、４つの一次転写ローラ４４を備えている。
【００４６】
駆動ローラ４１および従動ローラ４２は、前後方向に間隔を隔てて対向配置されている。
【００４７】
中間転写ベルト４３は、その下側部分が各感光ドラム２２に接触されるように、駆動ローラ４１および従動ローラ４２の周りに掛け渡されている。また、中間転写ベルト４３は、駆動ローラ４１の駆動により、各感光ドラム２２と接触する下側部分が前側から後側に向かって移動するように、周回移動されている。
【００４８】
各一次転写ローラ４４は、各感光ドラム２２と、それぞれ中間転写ベルト４３の下側部分を挟んで対向するように、設けられている。
【００４９】
二次転写ローラ３７は、ベルトユニット４０の駆動ローラ４１と、中間転写ベルト４３を挟んで対向するように、ベルトユニット４０の後方に設けられている。
（３−４）定着ユニット
定着ユニット１８は、二次転写ローラ３７の上側に配置され、加熱ローラ３０、および、加熱ローラ３０に対向する加圧ローラ３１を備えている。
（３−５）画像形成動作
（３−５−１）現像動作
現像ユニット２４内のトナーは、供給ローラ２６に供給され、さらに、現像ローラ２５に供給される。
【００５０】
現像ローラ２５に供給されたトナーは、現像ローラ２５の回転に伴って、層厚規制ブレード２７によって厚さが規制され、一定厚さの薄層として現像ローラ２５の表面に担持される。また、現像ローラ２５に供給されたトナーは、層厚規制ブレード２７と現像ローラ２５との間で正極性に摩擦帯電される。
【００５１】
一方、感光ドラム２２の表面は、感光ドラム２２の回転に伴って、スコロトロン型帯電器２３により一様に正帯電された後、ＬＥＤユニット２１により露光される。これにより、用紙Ｐに形成すべき画像に対応した静電潜像が感光ドラム２２の表面に形成される。
【００５２】
感光ドラム２２がさらに回転すると、現像ローラ２５の表面に担持され、かつ、正電荷に帯電されているトナーが、感光ドラム２２の表面に形成されている静電潜像に供給される。これにより、感光ドラム２２の静電潜像は可視像化され、感光ドラム２２の表面には、反転現像によるトナー像が担持される。
（３−５−２）転写・定着動作
感光ドラム２２の表面に反転現像により担持されたトナー像は、前側から後側へ移動される中間転写ベルト４３の下側部分に順次、一次転写される。これにより、中間転写ベルト４３にカラー画像が形成される。
【００５３】
中間転写ベルト４３に形成されたカラー画像は、中間転写ベルト４３が二次転写ローラ３７との対向位置を通過する間に、給紙部３から供給される用紙Ｐに、二次転写される。
【００５４】
そして、用紙Ｐに転写されたカラー画像は、定着ユニット１８において、用紙Ｐが加熱ローラ３０と加圧ローラ３１との間を通過する間に、加熱および加圧されることによって用紙Ｐに熱定着される。
（４）排紙
定着ユニット１８においてトナー像を定着された用紙Ｐは、各排紙ローラ３２によって、本体ケーシング２の上面に形成される排紙トレイ３３上に排紙される。
２．ベルトユニットの詳細
（２−１）ベルトフレーム
ベルトユニット４０は、図２（ｂ）に示すように、フレームの一例としてのベルトフレーム４６を備えている。
【００５５】
ベルトフレーム４６は、左右１対の側壁４７と、上壁４８とを備えている。
【００５６】
両側壁４７は、前後方向に延びる側面視略矩形状に形成され、図３（ｂ）に示すように、その前側部分に、回動軸挿通穴７０および従動ローラ支持穴５０が形成され、その後側部分に、駆動ローラ支持穴４９が形成されている。
【００５７】
回動軸挿通穴７０は、両側壁４７の前端部において、両側壁４７を左右方向に貫通する側面視略円形状に形成されている。
【００５８】
従動ローラ支持穴５０は、回動軸挿通穴７０の後下側において、両側壁４７を左右方向に貫通する側面視略円形状に形成されている。
【００５９】
駆動ローラ支持穴４９は、従動ローラ支持穴５０と前後方向に間隔を隔てて対向するように、両側壁４７の後端部に形成され、両側壁４７を左右方向に貫通する側面視略円形状に形成されている。
【００６０】
また、両側壁４７には、その左右方向外側面に、前側ばね固定部５６および後側ばね固定部５７が設けられ、その左右方向内側面に、４つの一次転写ローラ支持部６８が設けられ、その下側面に、被位置決め部６６が設けられている。
【００６１】
前側ばね固定部５６は、両側壁４７の前端縁から左右方向外方に向かって突出する略平板形状に形成されている。また、前側ばね固定部５６の後面における下側部分には、付勢部材の一例としての前側ばね部材６１（図４参照）が固定されている。
【００６２】
前側ばね部材６１は、圧縮ばねからなり、前後方向に沿うように配置され、カム８０（後述）を後方に向かって付勢するように設けられている。
【００６３】
後側ばね固定部５７は、駆動ローラ支持穴４９の前側において、両側壁４７の左右方向外側面から左右方向外方に向かって突出する略角柱状に形成され、前側ばね固定部５６と前後方向に間隔を隔てて対向するように設けられている。
【００６４】
後側ばね固定部５７の左右方向長さは、前側ばね固定部５６の左右方向長さと略同じ長さである。
【００６５】
また、後側ばね固定部５７の前面における上下方向中央部分には、後側ばね部材６０が固定されている。
【００６６】
後側ばね部材６０は、圧縮ばねからなり、前後方向に沿うように配置され、直動カム５８（後述）を前方に向かって付勢するように設けられている。
【００６７】
４つの一次転写ローラ支持部６８は、駆動ローラ支持穴４９と従動ローラ支持穴５０との間において、前後方向に互いに間隔を隔てて並列配置されている。
【００６８】
一次転写ローラ支持部６８は、両側壁４７の左右方向内側面から左右方向内方に突出する底面視略矩形状に形成されている。
【００６９】
被位置決め部６６は、両側壁４７の下側面における前端部および後端部にそれぞれ設けられ、その下側面から下方に突出する側面視略矩形状に形成されている。
【００７０】
上壁４８は、略平板形状に形成され、両側壁４７の前側部分における上端部間に架設されている。
【００７１】
上壁４８には、その前側部分に把持部挿通溝６７が形成されている。
【００７２】
把持部挿通溝６７は、把持部７５（後述）の基端部７６（後述）に対応して２つ形成され、上壁４８の前端縁から後方に向かって窪む平面視略Ｕ字形状に形成されている。
【００７３】
そして、ベルトフレーム４６の両側壁４７間において、駆動ローラ４１と、従動ローラ４２と、４つの一次転写ローラ４４と、中間転写ベルト４３とが支持されている。
【００７４】
駆動ローラ４１は、左右方向に延びる略円筒形状に形成され、その左右両端部が、各駆動ローラ支持穴４９に回転可能に支持されている。
【００７５】
従動ローラ４２は、左右方向に延びる略円筒形状に形成され、その左右両端部が、各従動ローラ支持穴５０に回転可能に支持されている。
【００７６】
各一次転写ローラ４４は、左右方向に延びる略円筒形状に形成され、その左右両端部が対応する一次転写ローラ支持部６８に支持されている。
【００７７】
そして、駆動ローラ４１および従動ローラ４２の周りには、上記したように、中間転写ベルト４３が掛け渡されている。つまり、中間転写ベルト４３は、駆動ローラ４１および従動ローラ４２を介して、両側壁４７に支持されている。
【００７８】
また、ベルトフレーム４６には、把持部材４５と、連動ユニット７２とが設けられている。
（２−２）把持部材
把持部材４５は、図２（ｂ）に示すように、左右方向に延びる回動軸７８と、回動軸７８に固定される把持部７５およびカム８０とを備えている。
【００７９】
回動軸７８は、その左右両端部が、各回動軸挿通穴７０に回転可能に支持されることにより、両側壁４７に対して回動可能に設けられている。また、回動軸７８の左右両端部は、各回動軸挿通穴７０から左右方向外側に突出している。
【００８０】
把持部７５は、基端部７６側が開放され、基端部７６に対して反対側端部（連結側端部７７）が閉鎖される略Ｕ字形状に形成されている。
【００８１】
把持部７５は、各基端部７６が、回動軸７８の左右方向中央部分を跨ぐように、回動軸７８に固定されている。
【００８２】
把持部７５は、回動軸７８の軸線方向に投影したときに、回動軸７８から径方向外方に延び、その後、回動軸７８の周方向に沿うように屈曲されている。
【００８３】
カム８０は、両側壁４７の前端部であって、前側ばね固定部５６の後側において、両側壁４７の外側面に配置されている。カム８０は、上下方向に延びる略楕円板形状に形成され、その上下方向長さは、把持部７５が収容位置（後述）にある状態において、規制部８９（後述）と接触しない長さに形成されている（図４（ａ）参照）。カム８０の厚みは、前側ばね固定部５６および後側ばね固定部５７の左右方向長さと略同じ長さに形成されている。
【００８４】
また、カム８０は、その左右方向内側面における上側部分が、回動軸７８の左右両端面に固定されている。
【００８５】
詳しくは、カム８０は、カム８０と把持部７５とが、回動軸７８の軸線方向に投影したときに、略Ｌ字状に配置されるように、回動軸７８の左右両端面に固定されている（図４（ａ）参照）。
【００８６】
そして、カム８０は、その前面における下側部分が、前側ばね部材６１により後方に向かって付勢されている。
【００８７】
そのため、カム８０は、常には、回動軸７８を支点として、右面視反時計方向に僅かに回動され、下方に向かうに従って後方に傾斜するように配置されている。これに伴なって、把持部７５は、常には、各基端部７６が各把持部挿通溝６７に入り込み、後方に向かうに従って上方に傾斜する把持位置（図４（ｂ）参照）に位置される。
【００８８】
なお、後述するが、把持部７５は、図４（ａ）〜図４（ｃ）に示すように、回動軸７８を支点として、両側壁４７に対して、前後方向に沿うように傾倒される収容位置（後述）から、把持位置（後述）を経て、上下方向に沿うように起立される引出許容位置（後述）まで、回動可能に設けられている。
（２−３）連動ユニット
連動ユニット７２は、図２（ｂ）に示すように、直動カム５８と、離間部材５９と、被覆部材８４（図２（ａ）参照）とを備えている。
【００８９】
直動カム５８は、前後方向に長手の略平板形状に形成されており、その前端部における上下両方の角が面取りされている。直動カム５８の厚みは、カム８０および離間部材５９の厚みと略同じ厚みに形成されている。
【００９０】
また、直動カム５８には、２つの切欠部６３が形成されている。各切欠部６３は、直動カム５８の下端縁から上方に向かって窪む側面視略コ字状に形成されており、前後方向に間隔を隔てて配置されている。また、各切欠部６３の前面は、後方に向かうに従って上方に向かうように傾斜している。
【００９１】
そして、直動カム５８は、カム８０と後側ばね部材６０との間に配置されている。
【００９２】
詳しくは、直動カム５８は、その前端部がカム８０の後面における上側部分と接触し、その後端部が後側ばね部材６０の前端部と接触するように配置されている。つまり、直動カム５８は、後側ばね部材６０により前方に向かって付勢されている。
【００９３】
離間部材５９は、上方に向かって開放される側面視略Ｕ字状に形成され、その各開放側端部（上端部）には、嵌合部６４がそれぞれ一体形成されている。
【００９４】
各嵌合部６４は、側面視略台形状に形成され、詳しくは、嵌合部６４の前面が、後方に向かうに従って上方に傾斜するように形成され、嵌合部６４の後面が、後方に向かうに従って下方に傾斜するように形成されている。
【００９５】
また、各嵌合部６４は、左右方向に延びる略平板形状に形成されており、その左右方向外側部分が、離間部材５９よりも左右方向外方に突出している。各嵌合部６４の突出部分における下面には、ばね６５が固定されている。ばね６５は、圧縮ばねからなり、上下方向に沿うように配置されている。
【００９６】
そして、離間部材５９は、その各嵌合部６４が、直動カム５８の各切欠部６３に対応するように、直動カム５８の下側に配置されている。詳しくは、離間部材５９は、常には、図４（ｂ）に示すように、各嵌合部６４の前面が、各切欠部６３の前面と一致するように配置されている。
【００９７】
被覆部材８４は、図２（ａ）および図３（ａ）に示すように、本体部８５と、上側鍔部５２および下側鍔部５３とを備えている。
【００９８】
本体部８５は、前後方向に長手の略平板形状に形成されており、その上下方向長さが、側壁４７の上下方向長さと略同じ長さに形成されている。
【００９９】
本体部８５には、各嵌合部６４と対応する部分に、嵌合穴５１が形成されている。
【０１００】
嵌合穴５１は、側面視略矩形状に形成され、本体部８５を左右方向に貫通するように形成されている。
【０１０１】
上側鍔部５２および下側鍔部５３は、本体部８５の上端縁および下端縁から左右方向内方に突出する略平板形状に形成されており、その左右方向長さが、カム８０、直動カム５８および離間部材５９の左右方向長さと略同じ長さに形成されている。
【０１０２】
下側鍔部５３には、図３（ａ）に示すように、カム露出溝５４と、離間部材挿通溝５５とが形成されている。
【０１０３】
カム露出溝５４は、下側鍔部５３の前端部において、下側鍔部５３の左右方向内側縁から左右方向外方に窪む底面視略コ字状に形成されている。
【０１０４】
離間部材挿通溝５５は、カム露出溝５４の後側において、下側鍔部５３の左右方向内側縁から左右方向外方に窪む底面視略コ字状に形成されている。
【０１０５】
また、離間部材挿通溝５５の前後方向長さは、離間部材５９の前後方向長さよりも長く形成されている。
【０１０６】
そして、被覆部材８４は、各嵌合部６４およびばね６５が、各嵌合穴５１に挿通されるように、各側壁４７の左右方向外側に装着されている。
【０１０７】
これにより、ばね６５が嵌合部６４の下面と嵌合穴５１の上面との間に挟持され、ばね６５の付勢力により、離間部材５９が嵌合部６４を介して上方に付勢されている。また、離間部材５９の下端部は、離間部材挿通溝５５から、両側壁４７よりも下方に突出している。
【０１０８】
また、直動カム５８および離間部材５９は、各側壁４７の左右方向外側面と、被覆部材８４の本体部８５の左右方向内側面との間に挟まれている。
３．本体ケーシングの詳細
本体ケーシング２には、図４（ａ）および図４（ｂ）に示すように、ベルトユニット４０が位置決め位置（後述）にある状態において、各被位置決め部６６に対応する部分に、４つの位置決め面８７が設けられ、離間部材５９の下側面に対応する部分に、離間面８８が設けられている。
【０１０９】
各位置決め面８７は、前後方向に沿って延びる略平面状に形成されている。各位置決め面８７のうち、前側の２つの位置決め面８７には、規制部８９が形成されている。
【０１１０】
規制部８９は、ベルトユニット４０が位置決め位置（後述）にある状態において、被位置決め部６６の前面と対向するように、位置決め面８７から上方に突出して形成されている。
【０１１１】
離間面８８は、前後方向に沿って延びる略平面状に形成されている。
４．ベルトユニットの本体ケーシングに対する着脱
把持部７５は、図４（ａ）に示すように、ベルトユニット４０が本体ケーシング２内に装着され、かつ、フロントカバー５が閉鎖位置に位置する状態において、収容位置に位置される。
【０１１２】
収容位置において把持部７５は、図１に示すように、フロントカバー５が上側から被覆されることにより、前後方向に沿うように傾倒され、本体ケーシング２内に収容されている。このとき、カム８０は、その長手方向が上下方向に沿うように配置される。
【０１１３】
すなわち、前側ばね部材６１は、カム８０および回動軸７８を介して、把持部７５を収容位置から把持位置に向かって付勢しているが、フロントカバー５は、閉鎖位置において、前側ばね部材６１の付勢力に抗して、把持部７５を収容位置に保持している。
【０１１４】
また、被位置決め部６６は、その下面が対応する位置決め面８７に上側から接触しており、前側の被位置決め部６６は、その前面が規制部８９の後面と接触している。
【０１１５】
これにより、ベルトユニット４０は、本体ケーシング２内において、本体ケーシング２に対する下方および前方への移動が規制され、本体ケーシング２に対して位置決めされている（位置決め位置）。
【０１１６】
また、離間部材５９の下側面と、離間面８８とは上下方向に対向接触されている。
【０１１７】
そして、本体ケーシング２に装着されたベルトユニット４０を、本体ケーシング２から引き出す（着脱する）には、まず、フロントカバー５を閉鎖位置から開放位置（図１点線参照）へ移動させて、開口部７を開放する。これにより、把持部７５は、フロントカバー５による被覆が解除され、フロントカバー５から露出される。
【０１１８】
そうすると、図４（ｂ）に示すように、把持部７５が、フロントカバー５の閉鎖位置から開放位置へ移動に伴なって、収容位置から把持位置に移動される。
【０１１９】
詳しくは、把持部７５のフロントカバー５による被覆が解除されると、カム８０の前面における下側部分が、前側ばね部材６１により後方に向かって付勢されることにより、カム８０が、回動軸７８を支点として、右側面視反時計方向に回動される。
【０１２０】
これにより、把持部７５が、収容位置から、右側面視反時計方向に回動され、上記した把持位置に位置される。把持位置における把持部７５の連結側端部７７は、収容位置における把持部７５の連結側端部７７よりも、前側に位置している。
【０１２１】
なお、把持部７５が把持位置にある状態では、ベルトユニット４０は位置決め位置に位置されており、また、被位置決め部６６の前面は、規制部８９の後面との接触している。
【０１２２】
次いで、ベルトユニット４０を本体ケーシング２から引き出すには、図４（ｃ）に示すように、ユーザが、把持位置における把持部７５を把持して、把持部７５を、回動軸７８（図２（ａ）参照）を支点として、右側面視反時計方向（前側）に回動させ、引出許容位置に位置させる。
【０１２３】
引出許容位置における把持部７５は、上下方向に沿うように起立されている。つまり、引出許容位置における把持部７５の連結側端部７７は、把持位置における把持部７５の連結側端部７７よりも、前側に位置している。
【０１２４】
また、把持部７５が把持位置から引出許容位置に回動されると、それに伴ない、カム８０が、回動軸７８を支点として、さらに右側面視反時計方向に回動され、その長手方向が前後方向に沿うように配置される。
【０１２５】
そうすると、直動カム５８は、その前端部が、カム８０の後端部に押圧されて、後側ばね部材６０の付勢力に抗して、後方に移動される。
【０１２６】
このとき、離間部材５９の下端部が離間面８８と接触しているので、直動カム５８は、後方に移動されるとともに、各嵌合部６４の前面の傾斜に沿って上方に移動された後、直動カム５８における各切欠部６３の前側部分が、各嵌合部６４（離間部材５９）に支持される。
【０１２７】
これにより、直動カム５８を介して、ベルトユニット４０が、位置決め位置から、上方に平行移動され、離間位置に位置される。
【０１２８】
ベルトユニット４０が離間位置に位置されると、中間転写ベルト４３も上方に平行移動されるので、中間転写ベルト４３と各感光ドラム２２とが離間される。
【０１２９】
また、各被位置決め部６６が上方に移動されることにより、各被位置決め部６６の前面と規制部８９の後面との接触が解消され、ベルトユニット４０の本体ケーシング２からの引き出しが許容される。
【０１３０】
すなわち、把持部７５の把持位置から引出許容位置への移動に連動して、ベルトユニット４０が、位置決め位置から離間位置に移動される。
【０１３１】
その後、ユーザが、把持部７５を前方に引き出すと、ベルトユニット４０は、離間位置から本体ケーシング２外に引き出される（引出位置）。
【０１３２】
そして、引出位置におけるベルトユニット４０は、さらに把持部７５を前方に引き出さすことにより、本体ケーシング２から離脱される。
【０１３３】
なお、ベルトユニット４０を本体ケーシング２内に装着するには、上記した引き出し動作と逆の手順に操作する。
４．作用効果
（１）このカラープリンタ１によれば、図４（ａ）および図４（ｂ）に示すように、ベルトユニット４０の把持部７５は、フロントカバー５の閉鎖位置から開放位置への移動に伴なって、収容位置から把持位置に移動される。
【０１３４】
そのため、ベルトユニット４０を本体ケーシング２から引き出すときに、把持部７５を把持すればよいことが明確となる。
【０１３５】
そして、ユーザが、把持部７５を把持して把持位置から引出許容位置に移動させると、ベルトユニット４０が上方に移動され、ベルトユニット４０の被位置決め部６６の前面と、本体ケーシング２の規制部８９の後面との接触が解除される。
【０１３６】
これにより、ベルトユニット４０の本体ケーシング２からの引き出しおよび離脱が許容される。
【０１３７】
つまり、ユーザは、本体ケーシング２からのベルトユニット４０の離脱作業（引き出し作業）において、その離脱作業当初から作業完了時まで、把持部７５を把持していればよく、把持部７５から他の部分に持ち替える必要がない。
【０１３８】
そのため、ベルトユニット４０の本体ケーシング２に対する引き出し作業の円滑化を図ることができ、ベルトユニット４０のメンテナンス性の向上を図ることができる。
（２）また、把持部７５は、回動軸７８を支点として、両側壁４７に回動可能に設けられている。そして、収容位置における把持部７５の連結側端部７７が、把持位置における把持部７５の連結側端部７７よりも、後方に位置し、把持位置における把持部７５の連結側端部７７が、引出許容位置における把持部７５の連結側端部７７よりも、後方に位置している。
【０１３９】
そのため、収容位置における把持部７５は、フロントカバー５に被覆され、本体ケーシング２内に収容され、その連結側端部７７が、把持位置および引出許容位置における把持部７５の連結側端部７７よりも、後方に位置する。その結果、ベルトユニット４０に把持部７５を設けることができながら、カラープリンタ１の小型化を図ることができる。
【０１４０】
また、把持位置における把持部７５の連結側端部７７は、収容位置における把持部７５の連結側端部７７よりも、前方に位置する。そのため、ユーザは、前側から把持位置における把持部７５を容易に把持できる。
【０１４１】
また、引出許容位置における把持部７５の連結側端部７７は、把持位置における把持部７５の連結側端部７７よりも、前方に位置する。そのため、ユーザは、引出許容位置における把持部７５を、前方に向けて引き出しやすい。その結果、ベルトユニット４０を本体ケーシング２から円滑に引き出すことができる。
【０１４２】
つまり、把持部７５に対する前側からのアクセスが容易となる。
【０１４３】
従って、カラープリンタ１の小型化を図ることができながら、把持部７５に対する前側からのアクセスの容易化を図ることができる。
（３）また、ベルトユニット４０は、本体ケーシング２内において、本体ケーシング２に位置決めされている位置決め位置と、本体ケーシング２内において、中間転写ベルト４３が各感光ドラム２２から離間する離間位置と、本体ケーシング２から引き出される引出位置とに移動可能である。
【０１４４】
そして、把持部７５の把持位置から引出許容位置への移動に連動して、ベルトユニット４０が位置決め位置から離間位置に移動する。
【０１４５】
そのため、ベルトユニット４０が本体ケーシング２から引き出されるときには、中間転写ベルト４３と各感光ドラム２２とが離間している。その結果、ベルトユニット４０を本体ケーシング２から引き出すときに、各感光ドラム２２が中間転写ベルト４３と摺擦することを防止でき、各感光ドラム２２が損傷することを防止できる。
（４）また、ベルトユニット４０は、本体ケーシング２に装着された状態において、位置決め位置と離間位置との間を、上方に向かって平行に移動可能である。
【０１４６】
そのため、ベルトユニット４０が離間位置にある状態において、中間転写ベルト４３と各感光ドラム２２とを確実に離間できる。
（５）また、ベルトユニット４０は、把持部材４５と、前側ばね部材６１とを備えている。
【０１４７】
把持部材４５は、回動軸７８と、回動軸７８に固定される把持部７５およびカム８０を備えている。
【０１４８】
そして、前側ばね部材６１は、カム８０の前面の下側部分を後方に向かって付勢している。これにより、把持部７５は、常には、把持位置に位置されている。また、フロントカバー５は、閉鎖位置において、把持部７５を上側から被覆することにより、前側ばね部材６１の付勢力に抗して、把持部７５を収容位置に保持している。
【０１４９】
そのため、フロントカバー５を閉鎖位置から開放位置へ移動させると、前側ばね部材６１の付勢力により、カム８０が右側面視時計方向に回動され、その回動に伴なって、把持部７５が収容位置から把持位置に移動する。
【０１５０】
その結果、ユーザは、把持位置における把持部７５を容易に把持することができ、ベルトユニット４０の本体ケーシング２に対する引き出し作業のさらなる円滑化を図ることができる。
５．第２実施形態
次に、本発明の第２実施形態について説明する。
【０１５１】
図５（ａ）は、本発明のカラープリンタの第２実施形態における、ベルトユニットを右上側から見た斜視図、図５（ｂ）は、図５（ａ）に示すベルトユニット（被覆部材を取り外した状態）を右上側から見た斜視図である。
【０１５２】
図６は、図５に示すベルトユニットの把持部の移動動作を説明するための説明図であって、図６（ａ）は、把持部が収容位置にある状態、図６（ｂ）は、把持部が把持位置にある状態、図６（ｃ）は、把持部が引出許容位置にある状態を示す。
【０１５３】
図５および図６において、図１〜図４に示す各部に対応する部分には、それらの各部と同一の参照符号を付し、その説明を省略する。
（１）カム
本発明の第２実施形態では、把持部材４５のカム８０は、図６（ｃ）に示すように、その長手方向長さが、把持部７５が引出許容位置（後述）にある状態において、規制部８９（後述）と接触する長さに形成されている。
【０１５４】
また、カム８０は、図５（ｂ）に示すように、カム８０の長手方向と把持部７５の基端部７６から連結側端部７７に向かう方向とが一致するように、回動軸７８の左右両端面に固定されている。
【０１５５】
そして、カム８０は、図６（ｂ）に示すように、常には、その上面が、ばね部材９１（後述）の下側部分により下方に向かって付勢されている。
【０１５６】
そのため、カム８０は、図５（ｂ）に示すように、常には、回動軸７８を支点として、右面視反時計方向に僅かに回動され、前方に向かうに従って下方に傾斜するように配置されている。これに伴なって、把持部７５は、各基端部７６が各把持部挿通溝６７に入り込み、後方に向かうに従って上方に傾斜する把持位置に位置している。
（２）被覆部材
被覆部材８４には、図６（ａ）〜図６（ｃ）に示すように、付勢部材の一例としてのばね部材９１が設けられている。
【０１５７】
ばね部材９１は、板ばねからなり、前方に向かって開放される側面視略Ｖ字状に形成されている。ばね部材９１は、上側鍔部５２の前端部における下面に設けられており、被覆部材８４が両側板４７の外側に装着された状態において、ばね部材９１の下側部分が、常には、カム８０の上面と接触するように、配置されている。
（３）ベルトユニットの本体ケーシングに対する着脱
ベルトユニット４０は、第１実施形態において上記したように、本体ケーシング２に引き出し可能に装着されている。
【０１５８】
把持部７５は、図６（ａ）に示すように、ベルトユニット４０が本体ケーシング２内に装着され、フロントカバー５が閉鎖位置に位置する状態において、収容位置に位置される。
【０１５９】
収容位置において把持部７５は、フロントカバー５が上側から被覆されることにより、前後方向に沿うように傾倒され、本体ケーシング２内に収容されている。このとき、カム８０は、その長手方向が前後方向に沿うように配置される。
【０１６０】
すなわち、ばね部材９１は、カム８０および回動軸７８を介して、把持部７５を収容位置から把持位置に向かって付勢しているが、フロントカバー５は、閉鎖位置において、ばね部材９１の付勢力に抗して、把持部７５を収容位置に保持している。
【０１６１】
このとき、ベルトユニット４０は、本体ケーシング２内において、本体ケーシング２に対する下方および前方への移動が規制される位置決め位置に位置されている。
【０１６２】
そして、本体ケーシング２に装着されたベルトユニット４０を、本体ケーシング２から引き出す（着脱する）には、まず、フロントカバー５を閉鎖位置から開放位置（図１点線参照）へ移動させて、開口部７を開放する。
【０１６３】
そうすると、図６（ｂ）に示すように、把持部７５が、フロントカバー５の閉鎖位置から開放位置へ移動に伴なって、収容位置から把持位置に移動される。
【０１６４】
詳しくは、把持部７５のフロントカバー５による被覆が解除されると、カム８０の上面が、ばね部材９１により下方に向かって付勢されることにより、カム８０が、回動軸７８を支点として、右側面視反時計方向に回動される。
【０１６５】
これにより、把持部７５が、収容位置から、右側面視反時計方向に回動され、上記した把持位置に位置される。
【０１６６】
なお、把持部７５が把持位置にある状態では、ベルトユニット４０は位置決め位置に位置されている。
【０１６７】
次いで、ベルトユニット４０を本体ケーシング２から引き出すには、図６（ｃ）に示すように、ユーザが、把持位置における把持部７５を把持して、把持部７５を、回動軸７８（図５（ａ）参照）を支点として、右側面視反時計方向（前側）に回動させ、引出許容位置に位置させる。
【０１６８】
引出許容位置における把持部７５は、上下方向に沿うように起立されている。
【０１６９】
また、把持部７５が把持位置から引出許容位置に回動されると、それに伴ない、カム８０が、回動軸７８を支点として、さらに右側面視反時計方向に回動され、その長手方向が上下方向に沿うように配置される。
【０１７０】
そうすると、カム８０の下端部が、カム露出溝５４を介して下方に突出し、規制部８９の上面と接触することにより、ベルトユニット４０の前端部が上方に位置するように、カム８０に支持される。
【０１７１】
詳しくは、カム８０がベルトユニット４０の前側部分を支持することにより、ベルトユニット４０が、後側の被位置決め部６６を支点として、右側面視略反時計方向に回動される。
【０１７２】
これにより、ベルトユニット４０は、前方に向かうに従って上方に傾斜するように配置され、位置決め位置から離間位置に位置される。
【０１７３】
ベルトユニット４０が離間位置に位置されると、中間転写ベルト４３も前方に向かうに従って上方に傾斜するように配置されるので、中間転写ベルト４３と各感光ドラム２２とが離間される。
【０１７４】
また、ベルトユニット４０の前側部分が上方に移動されることにより、前側の被位置決め部６６の前面と規制部８９の後面との接触が解消され、ベルトユニット４０の本体ケーシング２からの引き出しが許容される。
【０１７５】
その後、ユーザが、把持部７５を前方に引き出すと、ベルトユニット４０は、離間位置から本体ケーシング２外に引き出される（引出位置）。
【０１７６】
そして、引出位置におけるベルトユニット４０は、さらに把持部７５を前方に引き出さすことにより、本体ケーシング２から離脱される。
【０１７７】
なお、ベルトユニット４０を本体ケーシング２内に装着するには、上記した引き出し動作と逆の手順に操作する。
（４）作用効果
上記した本発明の第１実施形態では、ベルトユニット４０が、両側板４７の外側に直動カム５８および離間部材５９（図４参照）を備えたが、本発明の第２実施形態では、ベルトユニット４０は、直動カム５８および離間部材５９を備えていない。
【０１７８】
つまり、本発明の第２実施形態では、部品点数の低減を図ることができながら、後側の被位置決め部６６を支点として、ベルトユニット４０を位置決め位置と離間位置との間を回動可能である。
【０１７９】
そのため、製造コストの低減を図ることができながら、ベルトユニット４０の本体ケーシング２に対する引き出し作業の円滑化を図ることができ、ベルトユニット４０のメンテナンス性の向上を図ることができる。
（５）変形例
また、上記した第１実施形態および第２実施形態では、図４および図６に示すように、各位置決め面８７および離間面８８が本体ケーシング２に設けられたが、これに限定されず、各位置決め面８７および離間面８８は、プロセスフレーム２０（図１参照）に設けられていてもよい。
【符号の説明】
【０１８０】
１      カラープリンタ
２      本体ケーシング
５      フロントカバー
７      開口部
２２    感光ドラム
４０    ベルトユニット
４３    中間転写ベルト
４６    ベルトフレーム
６１    前側ばね部材
７５    把持部
９１    ばね部材
【図１】
0005919701.tif 000002
【図２】
0005919701.tif 000003
【図３】
0005919701.tif 000004
【図４】
0005919701.tif 000005
【図５】
0005919701.tif 000006
【図６】
0005919701.tif 000007